(57)【要約】【課題】多軸掘削機で掘削する場合、多軸全体が回転により捩れることを防止でき、掘削方向がずれることを防いで施工性を向上できる多軸掘削機を得る。【解決手段】途中を結束バンド９で相互に結束した複数本の掘削軸５を下方に向けて駆動機構に連結し、振れ止め装置を備えた多軸掘削機において、前記結束バンド９の両端に、複数本の掘削軸５の全体が回転により捩れることを防止する部材１０として、掘削孔の壁面に摺接する平面略小判形の筒状体の分割体１０ａ，１０ｂをそれぞれ取り付けた。【選択図】        図１
2005282182.tif 000002
【特許請求の範囲】
【請求項１】
途中を結束バンドで相互に結束した複数本の掘削軸を下方に向けて駆動機構に連結し、振れ止め装置を備えた多軸掘削機において、前記結束バンドの両端に、複数本の掘削軸の全体が回転により捩れることを防止する部材として、掘削孔の壁面に摺接する平面略小判形の筒状体をそれぞれ取り付けたことを特徴とする多軸掘削機。
【請求項２】
前記平面略小判形の筒状体は、半割の分割体で構成され、各分割体が結束バンドに固定されることを特徴とする請求項１記載の多軸掘削機。
【請求項３】
前記平面略小判形の筒状体の外径は、掘削翼の径よりも少し小さく形成したことを特徴とする請求項１または請求項２に記載の多軸掘削機。
【発明の詳細な説明】
【技術分野】
【０００１】
本発明は、ソイル柱壁等の土留め壁用の掘削孔を掘削する多軸掘削機に関するものである。
【背景技術】
【０００２】
ソイル柱壁を原位置土混合工法（ＳＭＷ工法）で施工する場合に使用する多軸掘削機は、例えば、図４、図５に示すように油圧モータおよび減速機からなる駆動機構４に掘削軸５を下方に向けて連結してなり、かつ、この掘削軸５は複数本（図示では５本）並列させ、ロッドを振れ止めのための結束バンド９で結束した。
【０００３】
該掘削軸５は先端に掘削ヘッド５ａを設け、また、途中に断続するスクリュー羽根による攪拌翼兼用の掘削翼５ｂを設けたものである。また、図示は省略するが、この掘削軸５は中空軸で内部にセメントミルク等の固結液を流通させ、これを掘削ヘッド５ａの吐出口より注出できる。
【０００４】
前記駆動機構４は、掘削軸５を連結した状態で、クローラ等のベースマシン１に起立するリーダーマスト２のトップシーブ３からワイヤーで吊り支する。さらに、駆動機構４は背面に設けた湾曲ブラケット６をリーダーマスト２に沿設したリーダー７に係合させる。図中８はリーダーマスト２の下端に設けた首かせ状の振れ止めで、掘削軸５が上下に貫通する。
【０００５】
駆動機構４により掘削軸５を回転駆動し、掘削ヘッド５ａで錐揉み状に掘削を行うが、かかる掘削時に掘削ヘッド５ａよりセメントミルク等の固結液を吐出させて、土中において原位置土と混合して先行エレメントのソイルセメント壁体を造成する。
【０００６】
前記のように複数本の掘削軸５を回転させて掘削するとき、特に５軸機や３軸機のような多軸機の場合、（図６に示す例は３軸機であるが、）各掘削軸５が隣接するもの同士で逆方向に回転し、左右両端に位置する掘削軸５は図示の例ではともに右回転する。
【０００７】
前記先行技術は当業者間で一般に使用されている掘削機であり、文献公知発明に係るものではない。
【発明の開示】
【発明が解決しようとする課題】
【０００８】
両端に位置する掘削軸５が右回転すると、図７（ａ）（ｂ）（ｃ）に示すように結束バンド９で結束された３軸の掘削軸５の全体が右回転方向にふれてしまい、３軸の全体が捩れて回転する傾向になり、かかる捩れは大深度になるほど大きな曲がりとなって、掘削孔の掘削方向が水平方向においてずれてくる。
【０００９】
かかる不都合を解消するため、従来は駆動機構４の構成要素である減速機の回転を止め、ガイド孔を切削してこれに沿って掘削して曲がりを修正し、また、計測を行って曲がりや捩れを検知している。
【００１０】
このため、掘削作業が中断するだけでなく、曲がり・捩れを修正する作業を要して施工性がよくないものになっている。なお、結束バンド９は複数本の掘削軸５を相互に結束するものであり、この結束バンド９では、結束された複数本の掘削軸５の全体が捩れることを防ぐことはできない。
【００１１】
本発明の目的は前記従来例の不都合を解消し、多軸掘削機で掘削する場合、多軸全体が回転により捩れることを防止でき、掘削方向がずれることを防いで施工性を向上できる多軸掘削機を提供することにある。
【課題を解決するための手段】
【００１２】
本発明は前記目的を達成するため、請求項１に記載の発明は、途中を結束バンドで相互に結束した複数本の掘削軸を下方に向けて駆動機構に連結し、振れ止め装置を備えた多軸掘削機において、前記結束バンドの両端に、複数本の掘削軸の全体が回転により捩れることを防止する部材として、掘削孔の壁面に摺接する平面略小判形の筒状体をそれぞれ取り付けたことを要旨とするものである。
【００１３】
請求項１記載の本発明によれば、掘削時には、両端位置の掘削ヘッドにより掘削される掘削孔において、平面略小判形の筒状体が複数本の掘削軸の並列方向と直交する方向で対向して孔壁面に摺接するから、孔壁面に対して半月板が抵抗となって、結束された複数本の掘削軸の全体が両端に位置する掘削軸の回転方向と同方向に回転することを阻止する。よって、複数本の掘削軸の全体が捩れることを防止でき、掘削孔の掘削方向が水平方向においてずれることを防げる。
【００１４】
請求項２記載の発明は、前記平面略小判形の筒状体は、半割の分割体で構成され、各分割体が結束バンドに固定されることを要旨とするものである。
【００１５】
請求項２記載の本発明によれば、前記作用に加えて、平面略小判形の筒状体は、半割の分割体で構成したから、結束バンドに簡単に取り付けることができ、既存の掘削機に対しても容易に取り付けられる。
【００１６】
請求項３記載の発明は、前記平面略小判形の筒状体の外径は、掘削翼の径よりも少し小さく形成したことを特徴とすることを要旨とするものである。
【００１７】
請求項３記載の本発明によれば、平面利益小判形の筒状体の外径を掘削翼の径よりも少し小さく形成したから、筒状体を掘削孔の短径方向で対向させて孔壁面に確実に摺接させることができる。
【発明の効果】
【００１８】
本発明の多軸掘削機は、多軸掘削機で掘削する場合、多軸を結束するバンドに多軸全体が回転により捩れることを防止する部材を取り付けたから、掘削軸の回転につれて捩れ曲がることを防止でき、施工中に捩れを修正する作業を行う必要がなく施工性を向上できるものである。
【発明を実施するための最良の形態】
【００１９】
以下、図面について本発明の実施の形態を詳細に説明する。図１は本発明の多軸掘削機の実施形態を示す要部である捩れ防止部材を取り付けた結束バンドの斜視図、図２は同上平面図で、多軸掘削機の全体構成は図４、図５について既に説明したとおりであるから、ここでの詳細な説明は省略する。
【００２０】
本発明の多軸掘削機は、図１、図２に示すように結束バンド９に複数本の掘削軸５の全体が回転により捩れることを防止する部材１０として、結束バンド９の両端外側に、掘削孔の壁面に摺接する平面略小判形の筒状体をそれぞれ取り付けた。
【００２１】
前記平面略小判形の筒状体は、半割の分割体１０ａ、１０ｂで構成され、各分割体１０ａ、１０ｂが結束バンド９の外側に固定される。各分割体１０ａ、１０ｂの配設位置は、両端位置の掘削ヘッド５ａにより掘削される掘削孔において複数本の掘削軸５の並列方向と直交する方向とし、結束バンド９への固定手段は、分割体１０ａ、１０ｂの開口部に向けて突出させた突片１１を結束バンド９に当接させてボルト１２でこの突片１１を結束バンド９に固定するものとする。
【００２２】
この一対の分割体１０ａ、１０ｂは、円弧状の部分の内側が対向するように結合されて略小判形に形成されるものであるが、対向位置に円弧状の部分が位置すればよく、全体の形状としては、図１に示すように外周面に角部が存在しない小判形の他に、図２に示すような円弧状の部分と直線状の部分との境界部を角部に形成するものでもよい。
【００２３】
そして、分割体１０ａ、１０ｂの結合の間隔幅、すなわち、平面略小判形の筒状体の外径は、掘削翼５ｂの径よりも少し小さく形成して、両端に位置する掘削翼５ｂによる掘削孔の孔壁面に摺設するように構成する。
【００２４】
次に作用について説明すると、掘削時には、複数本の掘削軸５が同時に回転し、例えば複数本の掘削軸５のうち両端に位置する掘削軸５は同じ方向の右回転とする。この状態で、結束バンド９で結束されている複数本の掘削軸５の全体が前記回転につられて同方向の右方向に回転しようとするが、複数本の掘削軸５の並列方向と直交する方向で対向して両端に略小判形の筒状体の分割体１０ａ、１０ｂが位置して外側の円弧面が両端位置の掘削翼５ｂによる掘削孔の孔壁面に摺接するから、この分割体１０ａ、１０ａが回転の抵抗となって、掘削が進行しても複数本の掘削軸５の全体が右方向に回ることを阻止する。
【００２５】
そして、この場合、分割体１０ａ、１０ａの間隔幅を掘削翼５ｂの径よりも少し小さく形成したから、掘削翼５ｂで掘削された掘削孔の孔壁面に分割体１０ａ、１０ａの円弧状部を確実に摺接させることができる。
【００２６】
これにより、結束バンド９で結束された複数本の掘削軸５の全体が捩れて曲がることを防ぐことができ、掘削孔の掘削方向が水平方向においてずれることがない。
【図面の簡単な説明】
【００２７】
【図１】本発明の多軸掘削機の実施形態を示す要部である捩れ防止部材を取り付けた結束バンドの斜視図である。
【図２】本発明の多軸掘削機の実施形態を示す要部である捩れ防止部材を取り付けた結束バンドの平面図である。
【図３】本発明の多軸掘削機の実施形態を示す捩れ防止部材を取り付けた掘削軸の説明図である。
【図４】多軸掘削機の正面図である。
【図５】多軸掘削機の側面図である。
【図６】従来の多軸掘削機の説明図である。
【図７】従来の多軸掘削機の回転時のロッドの箇所の横断平面図である。
【符号の説明】
【００２８】
１…ベースマシン                ２…リーダーマスト
３…トップシーブ                ４…駆動機構
５…掘削軸                      ５ａ…掘削ヘッド
５ｂ…掘削翼                    ６…湾曲ブラケット
７…リーダー                    ８…振れ止め
９…結束バンド                  １０…捩れることを防止する部材
１０ａ、１０ｂ…分割体          １１…突片
１２…ボルト
【図１】
2005282182.tif 000003
【図２】
2005282182.tif 000004
【図３】
2005282182.tif 000005
【図４】
2005282182.tif 000006
【図５】
2005282182.tif 000007
【図６】
2005282182.tif 000008
【図７】
2005282182.tif 000009